(57)【要約】【課題】光源ユニットにカバーガラスを容易かつ低コストで取り付け可能で、かつ衝撃付加時のカバーガラスの割れや外れと光源損傷時のショートや漏電を防止可能な投影装置を提供する。【解決手段】光源ユニットのランプの前方を覆う金属製の前面ケース４と、前面ケース４の内側に取り付ける絶縁性、衝撃吸収性、および耐熱性を有する絶縁部材９に、ランプから発せられた光を出射させる開口４ａ、９ａを連通するように設け、両部材の対向する面の開口４ａ、９ａの周囲に、紫外線除去機能を有するカバーガラス８を嵌め込む嵌め込み部４ｂ、９ｂを設ける。そして、前面ケース４の嵌め込み部４ｂにカバーガラス８を嵌め込んで、前面ケース４に絶縁部材９を取り付けることにより、カバーガラス８を前面ケース４と絶縁部材９の嵌め込み部４ｂ、９ｂで挟み込んで固定する。【選択図】図３
2007248753.tif 000002
【特許請求の範囲】
【請求項１】
ランプと、ランプから発せられた光を透過させつつ該光から紫外線を除去する平板状のカバーガラスと、ランプおよびカバーガラスを保持する分割型のケースを有する光源ユニットを備え、光源ユニットから出射された光により画像を形成して投影する投影装置において、
前記ランプの前方を覆う前記ケースの一構成部品である金属製の前面ケースと、
前記前面ケースの内側に取り付けられる絶縁性、衝撃吸収性、耐熱性、および高強度性を有する合成樹脂製の絶縁部材とを備え、
前記前面ケースと前記絶縁部材のそれぞれに、前記ランプから発せられた光を出射させる開口を連通するように設け、かつ該開口の周囲に前記カバーガラスを嵌め込む嵌め込み部を設け、かつ各嵌め込み部に前記カバーガラスの端面の一部を支持する凸部と、相手方の凸部を嵌合させる凹部とを部分的に複数設け、
前記前面ケースの前記嵌め込み部に前記カバーガラスを嵌め込んで、前面ケースと前記絶縁部材の前記各凸部と前記各凹部を嵌合して、前面ケースに絶縁部材を取り付けることにより、カバーガラスを各凸部で支持しかつ前面ケースと絶縁部材で挟み込んで固定することを特徴とする投影装置。
【請求項２】
光源と、光源から発せられた光を透過させるカバーガラスと、光源およびカバーガラスを保持する分割型のケースを有する光源ユニットを備え、光源ユニットから出射された光により画像を形成して投影する投影装置において、
前記光源の前方を覆う前記ケースの一構成部品である金属製の前面ケースと、
前記前面ケースの内側に取り付けられる絶縁性、衝撃吸収性、および耐熱性を有する絶縁部材とを備え、
前記前面ケースと前記絶縁部材のそれぞれに、前記光源から発せられた光を出射させる開口を連通するように設け、かつ該開口の周囲に前記カバーガラスを嵌め込む嵌め込み部を設け、
前記嵌め込み部の一方に前記カバーガラスを嵌め込んで、前記前面ケースに前記絶縁部材を取り付けることにより、カバーガラスを前面ケースと絶縁部材で挟み込んで固定することを特徴とする投影装置。
【請求項３】
請求項２に記載の投影装置において、
前記前面ケースと前記絶縁部材の各嵌め込み部に、前記カバーガラスの端面の一部を支持する凸部と、相手方の凸部を嵌合させる凹部とを部分的に設けたことを特徴とする投影装置。
【発明の詳細な説明】
【技術分野】
【０００１】
本発明は、光源から発せられた光により画像を形成して投影する投影装置に関し、特に光源ユニットへのカバーガラスの取り付け構造に関するものである。
【背景技術】
【０００２】
プロジェクタやリアプロジェクションテレビ等の投影装置の内部には、光源ユニットと画像投影ユニット等が設けられている。光源ユニットは、ランプ等の光源と、該光源を保持する分割型のケース等から構成されている。画像投影ユニットは、ＤＭＤ（Digital Micromirror Device）等の画像形成部品と、カラーホィールやレンズやミラー等の光学部品と、これらの部品を保持する分割型のケース等から構成されている。上記の各ケースは、光源の発光時の高熱に耐えられるように金属で形成されている。光源から発せられた光が、光源ユニットのケースの開口から出射して、画像投影ユニットのケースの開口から該ケース内へ入射すると、画像形成部品と光学部品により、その入射した光を基に画像が形成されてスクリーンへ投影される。
【０００３】
投影装置には、光源の光に含まれている紫外線が画像投影ユニットの上記部品を劣化させたり、人体に悪影響を与えたりするのを防止するため、例えば下記の特許文献１、２に開示されているように、光源ユニットのケースの開口に、光源から発せられた光を透過させつつ該光から紫外線を除去するカバーガラスを取り付けたものがある。このカバーガラスの取り付け構造としては、例えば下記の特許文献２に開示されているように、前面ケースのフレームに取り付けられる光源の前方を覆うための板金から成るカバープレートと、カバーガラスを保持するための板金から成る保持プレートに、光を出射させる開口を設け、両プレートをネジ等で連結して、両開口の縁でカバーガラスを挟み込んで固定している。
【０００４】
また、投影装置には、光源であるランプの破裂時に周辺の部品が破損するのを防止するため、例えば下記の特許文献３、４に開示されているように、光源ユニットのケースの開口に、ランプの破裂片が光源ユニットの外へ飛び出るのを防ぐカバーガラスを取り付けたものがある。このカバーガラスの取り付け構造としては、例えば下記の特許文献４に開示されているように、光源の前方を覆うケースの一部である金属筒または耐熱性樹脂筒から成る防爆カバーに、光を出射させる開口を設け、該開口の周囲に、テーパー状の嵌合部を設け、ランプの棒状電極の端部に、カバーガラスへ接触させる接続部を設け、カバーガラスを嵌合部に挿入して耐熱性接着剤で、またはバネ部材と接続部とで固定している。
【０００５】
【特許文献１】実用新案登録第３０９２５０９号公報
【特許文献２】実用新案登録第３１０４４７２号公報
【特許文献３】特開２００４−２３９９７５号公報
【特許文献４】特開２００５−１４９８４１号公報
【発明の開示】
【発明が解決しようとする課題】
【０００６】
上述した特許文献２のような構造では、金属製のカバープレートと保持プレートの間にカバーガラスを挟み込んで固定するので、例えばランプ等の光源の交換時に投影装置内から取り出した光源ユニットを誤って落下させてしまう等して、光源ユニットに衝撃が加わった場合には、該衝撃が両プレートから伝わって、カバーガラスが容易に割れるおそれがある。また、ランプの破裂等の光源の損傷時に、光源に設けられている電極やワイヤ等の導電部材が前方へ飛び跳ねて、金属製のカバープレートや保持プレートに接触し、ショート（短絡）や漏電を生じるおそれがある。また、カバーガラスを挟み込んでカバープレートと保持プレートを連結した後、前面ケースのフレームにカバープレートを連結して、カバーガラスを前面ケースに取り付けるので、作業工程が多く手間と時間がかかる。さらに、カバーガラスを固定するためだけの保持プレートを板金で形成して用いているので、コストがかかる。
【０００７】
また、上述した特許文献４のような構造では、耐熱性樹脂筒から成る防爆カバーの開口に設けた嵌合部にカバーガラスを挿入して、耐熱性接着剤により、またはランプの棒状電極に設けた接続部とバネ部材とにより固定するので、光源ユニットに落下等による衝撃が加わった場合には、接着剤による接着が離れてまたはバネ部材が変形し接続部が衝突して、カバーガラスが容易に外れたり割れたりするおそれがある。また、ランプの棒状電極等にカバーガラスと接触するように接続部とバネ部材を設ける必要があるので、汎用的な光源を用いることができず、コストがかかる。
【０００８】
本発明は、上述した問題点を解決するものであって、その課題とするところは、光源ユニットにカバーガラスを容易かつ低コストで取り付け可能で、かつ衝撃付加時のカバーガラスの割れや外れと光源損傷時のショートや漏電を防止可能な投影装置を提供することにある。
【課題を解決するための手段】
【０００９】
本発明は、光源と、光源から発せられた光を透過させるカバーガラスと、光源およびカバーガラスを保持する分割型のケースを有する光源ユニットを備え、光源ユニットから出射された光により画像を形成して投影する投影装置において、光源の前方を覆うケースの一構成部品である金属製の前面ケースと、前面ケースの内側に取り付けられる絶縁性、衝撃吸収性、および耐熱性を有する絶縁部材とを備え、前面ケースと絶縁部材のそれぞれに、光源から発せられた光を出射させる開口を連通するように設け、かつ該開口の周囲にカバーガラスを嵌め込む嵌め込み部を設け、該嵌め込み部の一方にカバーガラスを嵌め込んで、前面ケースに絶縁部材を取り付けることにより、カバーガラスを前面ケースと絶縁部材で挟み込んで固定する。
【００１０】
このようにすると、前面ケースと絶縁部材の一方の嵌め込み部へのカバーガラスの嵌め込みと、前面ケースへの絶縁部材の取り付けを行うだけで、カバーガラスが固定されるので、作業工程が少なく、手間が軽減され、時間が短縮され、カバーガラスを固定するためだけの部材を用意する必要がない。よって、光源ユニットの前面ケースにカバーガラスを容易かつ低コストで取り付けることが可能となる。また、金属製の前面ケースと衝撃吸収性および耐熱性を有する絶縁部材でカバーガラスを挟み込んで固定するので、光源ユニットへの衝撃付加時に該衝撃を絶縁部材で吸収して、カバーガラスが容易に割れたり外れたりするのを防止することが可能となる。加えて、光源の発光時の高熱に前面ケースと絶縁部材が耐えて、カバーガラスの固定状態を安定に維持可能となる。さらに、前面ケースの内側は絶縁部材で絶縁されているので、光源の損傷時に光源に設けられている導電部材が前方へ飛び跳ねても、前面ケースに接触せず、ショートや漏電が生じるのを防止することが可能となる。
【００１１】
また、本発明では、前面ケースと絶縁部材の各嵌め込み部に、カバーガラスの端面の一部を支持する凸部と、相手方の凸部を嵌合させる凹部とを部分的に設けている。
【００１２】
上述した特許文献４のようにカバーガラスの端面全体を防爆カバーの嵌合部の側壁で支持する構造では、嵌合部へのカバーガラスの嵌め込み時に、カバーガラスの光を透過させる面に指等が触れて、該面が汚れたり傷ついたりし、光透過性能が低下してしまうおそれがある。然るに、上記のように前面ケースと絶縁部材の嵌め込み部に凸部と凹部を部分的に設けると、前面ケースの凸部で支持されないカバーガラスの端面の箇所を指等で把持して、カバーガラスの光を透過させる面に指等が触れることなく、カバーガラスを嵌め込み部に嵌め込むことができ、カバーガラスの光を透過させる面が汚れたり傷ついたりして、光の透過性能が低下するのを防止可能となる。また、前面ケースと絶縁部材の凸部と凹部をそれぞれ嵌合させて、絶縁部材のぐらつきを抑えることができ、前面ケースに絶縁部材を容易に取り付けることが可能となる。さらに、前面ケースと絶縁部材でカバーガラスを光が透過する面だけでなく、端面も安定に支持することができ、カバーガラスの割れや損傷をより効果的に防止可能となる。
【００１３】
さらに、本発明の典型的な実施形態では、ランプと、ランプから発せられた光を透過させつつ該光から紫外線を除去する平板状のカバーガラスと、ランプおよびカバーガラスを保持する分割型のケースを有する光源ユニットを備え、光源ユニットから出射された光により画像を形成して投影する投影装置において、ランプの前方を覆うケースの一構成部品である金属製の前面ケースと、前面ケースの内側に取り付けられる絶縁性、衝撃吸収性、耐熱性、および高強度性を有する合成樹脂製の絶縁部材とを備え、前面ケースと絶縁部材のそれぞれに、ランプから発せられた光を出射させる開口を連通するように設け、かつ該開口の周囲に前記カバーガラスを嵌め込む嵌め込み部を設け、かつ各嵌め込み部にカバーガラスの端面の一部を支持する凸部と、相手方の凸部を嵌合させる凹部とを部分的に複数設け、前面ケースの嵌め込み部にカバーガラスを嵌め込んで、前面ケースと絶縁部材の各凸部と各凹部を嵌合して、前面ケースに絶縁部材を取り付けることにより、カバーガラスを凸部で支持しかつ前面ケースと絶縁部材で挟み込んで固定する。
【００１４】
このようにすると、前面ケースの嵌め込み部への紫外線除去機能を有するカバーガラスの嵌め込みと、前面ケースへの絶縁部材の取り付けを行うだけで、カバーガラスが固定されるので、作業工程が少なく、手間が軽減され、時間が短縮され、カバーガラスを固定するためだけの部材を用意する必要がない。よって、光源ユニットの前面ケースにカバーガラスを容易かつ低コストで取り付けることが可能となる。特に、合成樹脂で形成されている絶縁部材は、板金で形成されている部材より低コストで製造することができるので、コストを一層削減可能となる。また、金属製の前面ケースと衝撃吸収性、耐熱性、および高強度性を有する合成樹脂製の絶縁部材とでカバーガラスを挟み込んで固定するので、光源ユニットへの衝撃付加時に該衝撃を絶縁部材で吸収して、カバーガラスが容易に割れたり外れたりするのを防止することが可能となる。加えて、ランプの発光時の高熱に前面ケースと絶縁部材が耐えて、カバーガラスの固定状態を安定に維持可能となる。また、前面ケースの内側は絶縁部材で絶縁されているので、ランプの破裂等の損傷時にランプの電極やワイヤ等の導電部材が前方へ飛び跳ねても、前面ケースに接触せず、ショートや漏電が生じるのを防止することが可能となる。さらに、前面ケースと絶縁部材の嵌め込み部に凸部と凹部を部分的に設けているので、前面ケースの凸部で支持されないカバーガラスの端面の箇所を指等で把持して、カバーガラスの光を透過させる面に指等が触れることなく、カバーガラスを嵌め込み部に嵌め込むことができ、カバーガラスの光を透過させる面が汚れたり傷ついたりして、光の透過性能および紫外線除去性能が低下するのを防止可能となる。加えて、前面ケースと絶縁部材の各凸部と各凹部をそれぞれ嵌合させて、絶縁部材のぐらつきを抑えることができ、前面ケースに絶縁部材を容易に取り付けることが可能となる。その上、前面ケースと絶縁部材でカバーガラスを光が透過する面だけでなく、端面も安定に支持することができ、カバーガラスの割れや損傷をより効果的に防止可能となる。
【発明の効果】
【００１５】
本発明によれば、金属製の前面ケースと衝撃吸収性および耐熱性を有する絶縁部材でカバーガラスを挟み込んで固定するので、光源ユニットにカバーガラスを容易かつ低コストで取り付け可能となる。また、かつ光源ユニットへの衝撃付加時にカバーガラスが容易に割れたり外れたりするのを防止でき、かつ光源の損傷時に光源の導電部材と前面ケースを絶縁部材で絶縁してショートや漏電の発生を防止することができる。
【発明を実施するための最良の形態】
【００１６】
以下、本発明の実施形態につき図面を参照して説明する。図１は、本発明に係る投影装置の一例であるプロジェクタ１００の概略構造を示す図である。図２は、プロジェクタ１００を下側から見た斜視図である。プロジェクタ１００は、単板式ＤＬＰ（Digital Light Processing）プロジェクタである。プロジェクタ１００の本体１の内部には、光源ユニット２と画像投影ユニット３が設けられている。他にも本体１の内部には、図示しない空調ユニット、制御ユニット、および電源ユニット等がそれぞれ設けられている。
【００１７】
光源ユニット２は、本体１に設けられた光源収納部１ａに収納されている。本体１の底部には、図２に示すように光源収納部１ａに連通する開口１ｂが設けられている。光源ユニット２は開口１ｂを通して光源収納部１ａに装着されたり、光源収納部１ａから取り出されたりする。光源ユニット２の出し入れ時以外は、開口１ｂは図示しない蓋で塞がれている。光源収納部１ａの前方（画像投影ユニット３側）には、開口１ｃ、１ｄがそれぞれ設けられている。
【００１８】
図１の４、５は光源ユニット２の前後分割型のケースであって、アルミニウム等の耐熱性と高強度性を有する金属で形成されている。４は前面ケース、５は後面ケースである。６は光源であるランプ、７はランプ６の光を反射し集光するリフレクタである。後面ケース５の内側にランプ６とリフレクタ７を配置して、後面ケース５と前面ケース４を嵌め合わせてネジ等で固定することにより、ランプ６とリフレクタ７の前方が前面ケース４で覆われ、後方が後面ケース５で覆われて、ランプ６とリフレクタ７が該ケース４、５で保持される。前面ケース４には、ランプ６から発せられた光を出射させる開口４ａが設けられている。８は開口４ａを塞ぐように前面ケース４の内側に取り付けられたカバーガラスである。カバーガラス８は、可視光線等を通し紫外線を通さない略正方形で平板状のガラスであって、ランプ６から発せられた光を透過させつつ該光から紫外線を除去する。９は前面ケース４の内側に取り付けられた絶縁部材である。絶縁部材９は、液晶ポリエステル樹脂（ＬＣＰ）等の絶縁性、衝撃吸収性、耐熱性、および高強度性を有する合成樹脂で形成されている。絶縁部材９には、ランプ６から発せられた光を出射させる開口９ａが設けられている。カバーガラス８は、後述するように前面ケース４と絶縁部材９により保持されている。
【００１９】
１０は赤、緑、青のカラーフィルタが円周方向に交互に配列された円板から成るカラーホィールである。カラーホィール１０は、図示しないモータによって回転し、ランプ６から発せられた白色光をカラーフィルタのいずれかを透過させて赤色光、緑色光、青色光に分離する。１１は画像投影ユニット３の上下分割型のケースであって、アルミニウム等の金属で形成されている。ケース１１の光源ユニット２側の側面には、ランプ６から発せられてカラーホィール１０を透過した光を内部へ入射させる開口１１ａが設けられている。また、ケース１１の該側面には、図示しない取り付け部材を介してカラーホィール１０が取り付けられている。ケース１１の内部には、下記の画像投影用の部品１２〜１６が取り付けられている。
【００２０】
１２は内面が鏡張りになっているライトトンネルである。ライトトンネル１２は、一端側の開口より入射された光を、内部で繰り返し反射させて他端側の開口より出射させることにより、短い光路長で凝縮した均一な光に変える。１３はライトトンネル１２を通過した光を反射するミラーである。１４はミラー１３で反射された光の光束を整えるリレイレンズである。１５は半導体メモリ上に数十万個の微小なマイクロミラー（図示省略）が集積されたＤＭＤ（Digital Micromirror Device）であって、メモリセルが割り当てられた個々のマイクロミラーにより画素が構成される。ＤＭＤ１５は、図示しない回路基板に実装されていて、図示しないヒートシンクにより冷却される。ＤＭＤ１５のマイクロミラーは、±１２°の２方向に傾動することができる構造になっていて、メモリ値に応じて静電吸引力によりいずれかの方向に傾動し、傾動方向によってＯＮ／ＯＦＦの２値の状態をとる。１６は軸方向に伸縮可能な筒と該筒内に装着された複数枚のレンズ等から成る投影レンズである。投影レンズ１６は、ＤＭＤ１５で反射された光を透過させてスクリーン２０に投射する。
【００２１】
矢印で示すように、ランプ６から発せられた白色光は絶縁部材９の開口９ａを通り、カバーガラス８で紫外線を除去される。カバーガラス８を透過した白色光は前面ケース４の開口４ａと光源収納部１ａの開口１ｃを通り、カラーホィール１０のいずれかのカラーフィルタを透過して、赤色光、緑色光、青色光に分離される。分離された各色光はケース１１の開口１１ａを通って内部に入射し、ライトトンネル１２を通過して凝縮および均一化される。ライトトンネル１２から出射された光は、ミラー１３で所定角度上向きに反射され、リレイレンズ１４を透過して、ＤＭＤ１５へ照射される。このとき、ＤＭＤ１５のマイクロミラーがＯＮ状態にあるときは、該ミラーで反射された光が投影レンズ１６に取り込まれてスクリーン２０に投射される。また、マイクロミラーがＯＦＦ状態にあるときは、該ミラーで反射された光が投影レンズ１６に取り込まれずスクリーン２０に投射されない。つまり、プロジェクタ１００は、入力される映像信号等に基づいてＤＭＤ１５の個々のマイクロミラーの動作状態をＯＮ／ＯＦＦに制御することにより、ＤＭＤ１５で画像を形成して、該画像を投影レンズ１６を介してスクリーン２０に投影する。
【００２２】
図３は、光源ユニット２の前面ケース４とカバーガラス８と絶縁部材９の分解状態を示す斜視図である。図４は、前面ケース４へのカバーガラス８と絶縁部材９の取り付け状態を示す斜視図である。図５は、前面ケース４の正面図であって、図３で絶縁部材９側から見た状態を示している。図６は、絶縁部材９の正面図であって、図３で前面ケース４側から見た状態を示している。図３および図４において、一点鎖線で示す矢印は、ランプ６から発せられた光が進む光軸方向を表している。矢印の後端側（図で左斜め下側）には上述したランプ６、リフレクタ７、および後面ケース５が配置され、先端側（図で右斜め上側）には上述した画像投影ユニット３が配置される。
【００２３】
前面ケース４の内側は窪んでいて、該内側の中央には、上述したランプ６の光を出射させる開口４ａが形成されている。開口４ａの周囲には、図３および図５に示すようにカバーガラス８を嵌め込む嵌め込み部４ｂが形成されている。開口４ａは、カバーガラス８より小さくなるように形成されている。嵌め込み部４ｂは、カバーガラス８より大きくなるように形成されている。嵌め込み部４ｂには、凸部４ｃ、４ｄ、４ｅと凹部４ｆ、４ｇ、４ｈが部分的に設けられている。図５に示すように嵌め込み部４ｂにカバーガラス８を嵌め込んだ状態で、カバーガラス８の光を透過させる面８ａ、８ｂ（８ｂは８ａの反対側の面で図６に図示）に対して垂直な端面８ｃ、８ｄ、８ｅの一部は、凸部４ｃ、４ｄ、４ｅで支持される。カバーガラス８の残りの端面８ｊは、嵌め込み部４ｂの側壁４ｊで支持される。
【００２４】
前面ケース４の開口４ａの側方には、開口４ａよりも大きな開口４ｋが形成されている。開口４ｋの下端部には、絶縁部材９を下方から支持する支持面４ｍが形成されている。開口４ｋの上方と開口４ａの右上には、絶縁部材９を取り付けるためのネジ１７（図４に１つだけ図示）を螺合するネジ孔４ｎが形成されている。前面ケース４の上下端部には、後面ケース５を嵌め合わせるボス４ｐと、後面ケース５を連結するための図示しないネジを螺合するネジ孔４ｑが形成されている。ボス４ｐとネジ孔４ｑの近傍には、リフレクタ７の先端部を支持する段差部４ｒが形成されている。
【００２５】
絶縁部材９は、図４に示すように前面ケース４の内側にネジ１７で取り付けられて、前面ケース４の内側の開口４ａ、４ｋ近傍と開口４ａ、４ｋから上方の段差部４ｒおよびネジ孔４ｎまでの部分を電気が流れないように絶縁する。前面ケース４の内側の開口４ａ、４ｋから下方の段差部４ｒまでの部分と、開口４ａから開口４ｋと反対側の内面までの部分も、図示しない別の絶縁部材を取り付けることにより絶縁される。このように前面ケース４の内側を絶縁部材９等で絶縁すると、図１に示すように光源ユニット２を組み立てて本体１に組み込んだ状態で、ランプ６が破裂して、ランプ６に設けられている図示しない電極やワイヤ等の導電部材がリフレクタ７から前方へ飛び跳ねても、該導電部材が前面ケース４に接触することはない。
【００２６】
図３に示すように絶縁部材９の前部には、ランプ６の光を出射させる開口９ａが形成されている。開口９ａの前面ケース４側の周囲には、図６に示すようにカバーガラス８を嵌め込む嵌め込み部９ｂが形成されている。開口９ａは、カバーガラス８より小さくなるように形成されている。嵌め込み部９ｂは、カバーガラス８より大きくなるように形成されている。嵌め込み部９ｂには、凸部９ｆ、９ｇ、９ｈと凹部９ｃ、９ｄ、９ｅが部分的に設けられている。図６に示すように嵌め込み部９ｂにカバーガラス８を嵌め込んだ状態で、カバーガラス８の端面８ｄ、８ｅの一部は、凸部９ｆ、９ｇ、９ｈで支持される。図４に示すように前面ケース４に絶縁部材９を取り付けた状態で、前面ケース４の凸部４ｃ、４ｄ、４ｅと絶縁部材９の凹部９ｃ、９ｄ、９ｅがそれぞれ嵌合し、絶縁部材９の凸部９ｆ、９ｇ、９ｈと前面ケース４の凹部４ｆ、４ｇ、４ｈがそれぞれ嵌合する。また、前面ケース４の開口４ａと絶縁部材９の開口９ａが連通する。さらに、図１に示すように光源ユニット２を本体１に組み込んだ状態で、開口９ａ、４ａと光源収納部１ａの開口１ｃが連通し、ランプ６の光が開口９ａ、４ａ、１ａを通ってカラーホィール１０に入射する。
【００２７】
絶縁部材９の開口９ａの側方には、図３等に示すように傾斜壁９ｊが形成されている。傾斜壁９ｊの下部には、前面ケース４の開口４ｋより小さな開口９ｋが形成されている。図４に示すように前面ケース４に絶縁部材９を取り付けた状態で、絶縁部材９の傾斜壁９ｊは下面９ｍを前面ケース４の支持面４ｍに支持されて、開口４ｋを略覆う。また、絶縁部材９の開口９ｋと前面ケース４の開口４ｋが連通する。さらに、図１に示すように光源ユニット２を本体１に組み込んだ状態で、開口９ｋ、４ｋと光源収納部１ａの開口１ｄ（図２）が連通し、本体１内に設置された図示しないファンによって流される風が開口１ｄ、４ｋ、９ｋを通って、光源ユニット２が冷却される。絶縁部材９の開口９ａの上部には、フランジ部９ｐが形成されている。フランジ部９ｐには、絶縁部材９を前面ケース４に取り付けるためのネジ１７を貫通させる貫通孔９ｎが形成されている。
【００２８】
上述の構成において、前面ケース４にカバーガラス８と絶縁部材９を取り付けるには、先ず前面ケース４の凸部４ｃ、４ｄ、４ｅや側壁４ｊで支持されないカバーガラス８の端面８ｃ、８ｄ、８ｅの箇所を指等で把持して、図５に示すように前面ケース４の嵌め込み部４ｂにカバーガラス８を嵌め込む。次に、カバーガラス８が嵌め込み部４ｂから外れないように前面ケース４の内側を上向きにした状態で、嵌め込み部４ｂに絶縁部材９の嵌め込み部９ｂを近付けて行って、前面ケース４の各凸部４ｃ、４ｄ、４ｅおよび各凹部４ｆ、４ｇ、４ｈと絶縁部材９の各凹部９ｃ、９ｄ、９ｅおよび各凸部９ｆ、９ｇ、９ｈをそれぞれ嵌合する。そして、ネジ１７を絶縁部材９の貫通孔９ｎを通して前面ケース４のネジ孔４ｎに螺合して、図４に示すように前面ケース４に絶縁部材９を取り付ける。これにより、カバーガラス８の各端面８ｃ、８ｄ、８ｅ、８ｊが前面ケース４と絶縁部材９の各凸部４ｃ、４ｄ、４ｅ、９ｆ、９ｇ、９ｈおよび前面ケース４の側壁４ｊで支持され、カバーガラス８の光を透過させる両面８ａ、８ｂが前面ケース４と絶縁部材９の嵌め込み部４ｂ、９ｂで挟み込まれて、カバーガラス８が固定される。
【００２９】
以上のようにすると、前面ケース４の嵌め込み部４ｂへのカバーガラス８の嵌め込みと、前面ケース４への絶縁部材９の取り付けを行うだけで、カバーガラス８が固定されるので、作業工程が少なく、手間が軽減され、時間が短縮され、カバーガラス８を固定するためだけの部材を用意する必要がない。よって、光源ユニット２の前面ケース４にカバーガラス８を容易かつ低コストで取り付けることが可能となる。特に、合成樹脂で形成されている絶縁部材９は、板金で形成されている部材より低コストで製造することができるので、コストを一層削減可能となる。
【００３０】
また、金属製の前面ケース４と衝撃吸収性、耐熱性、および高強度性を有する合成樹脂製の絶縁部材９でカバーガラス８を挟み込んで固定するので、例えばランプ６の交換時に本体１の光源収納部１ａから取り出した光源ユニット２を誤って落下させてしまう等して、光源ユニット２に衝撃が加わっても、該衝撃を絶縁部材９で吸収して、カバーガラス８が容易に割れたり外れたりするのを防止することが可能となる。加えて、ランプ６の発光時の高熱に前面ケース４と絶縁部材９が耐えて、カバーガラス８の固定状態を安定に維持可能となる。さらに、前面ケース４の内側は絶縁部材９等で絶縁されているので、ランプ６の破裂等の損傷時に、ランプ６の電極やワイヤ等の導電部材が前方へ飛び跳ねても、前面ケース４に接触せず、ショート（短絡）や漏電が生じるのを防止することが可能となる。
【００３１】
また、前述した特許文献４のようにカバーガラスの端面全体を防爆カバーの嵌合部の側壁で支持する構造では、嵌合部へのカバーガラスの嵌め込み時に、カバーガラスの光を透過させる面に指等が触れて、該面が汚れたり傷ついたりし、光透過性能および紫外線除去性能が低下してしまう。然るに、上述のように前面ケース４の嵌め込み部４ｂに凸部４ｃ、４ｄ、４ｅと凹部４ｆ、４ｇ、４ｈを部分的に設けると、前面ケース４の凸部４ｃ、４ｄ、４ｅや側壁４ｊで支持されないカバーガラス８の端面８ｃ、８ｄ、８ｅの箇所を指等で把持して、カバーガラス８の光を透過させる面８ａ、８ｂに指等が触れることなく、カバーガラス８を嵌め込み部４ｂに嵌め込むことができ、該面８ａ、８ｂが汚れたり傷ついたりして、光透過性能および紫外線除去性能が低下するのを防止可能となる。また、絶縁部材９の嵌め込み部９ｂにも凸部９ｆ、９ｇ、９ｈおよび凹部９ｃ、９ｄ、９ｅを部分的に設けているので、前面ケース４と絶縁部材９の各凸部と各凹部をそれぞれ嵌合させて、絶縁部材９のぐらつきを抑えることができ、前面ケース４に絶縁部材９をネジ１７で容易に取り付けることが可能となる。さらに、前面ケース４と絶縁部材９でカバーガラス８を光が透過する面８ａ、８ｂだけでなく、端面８ｃ、８ｄ、８ｅ、８ｊも安定に支持することができ、カバーガラス８の割れや損傷をより効果的に防止可能となる。
【００３２】
本発明は、以上述べた実施形態以外にも種々の形態を採用することができる。例えば、以上の実施形態では、前面ケース４の嵌め込み部４ｂにカバーガラス８を嵌め込んで、前面ケース４に絶縁部材９を取り付けた例を挙げているが、本発明はこれのみに限定するものではない。これ以外に、絶縁部材９の凸部９ｆ、９ｇ、９ｈで支持されないカバーガラス８の端面８ｃ、８ｄ、８ｅの箇所を指等で把持して、絶縁部材９の嵌め込み部９ｂにカバーガラス８を嵌め込んで、カバーガラス８が嵌め込み部９ｂから外れないように絶縁部材９の嵌め込み部９ｂ側を上向きにした状態で、絶縁部材９を前面ケース４に取り付けるようにしてもよい。ただ、前面ケース４は絶縁部材９より重いので、前面ケース４の内側を上向きにした状態で前面ケース４に絶縁部材９を取り付ける手順の方が取り付け易く、作業性が良い。
【００３３】
また、以上の実施形態では、光源としてランプ６を用いた例を挙げているが、本発明はこれのみに限定するものではなく、これ以外に、光源としてＬＥＤ（Light Emitting Diode）を用いた場合でも適用することが可能である。
【００３４】
また、以上の実施形態では、紫外線除去機能を有するカバーガラス８を前面ケース４に取り付けた例を挙げているが、本発明はこれのみに限定するものではなく、前面ケースに取り付けるカバーガラスは、紫外線除去機能を有するものだけでなく、強化ガラスのようなランプの破片の飛散防止機能等を有するものでもよい。
【００３５】
また、以上の実施形態では、前面ケース４と絶縁部材９に略正方形の孔状の開口４ａ、９ａを設け、該開口４ａ、９ａ間に略正方形のカバーガラス８を設置した例を挙げているが、本発明はこれのみに限定するものではない。前面ケースと絶縁部材に光出射用として設ける開口の形状は、長方形や円形等でもよいし、特に絶縁部材に設ける開口は、孔だけに限らず切欠き等でもよい。また、カバーガラスの形状は、正方形に限らず長方形や円形等でもよい。
【００３６】
さらに、以上の実施形態では、本発明を単板式ＤＬＰプロジェクタ１００に適用した例を挙げているが、本発明はこれ以外にも、例えば画像形成部品として３枚のＤＭＤを用いた３板式ＤＬＰプロジェクタや、液晶パネルを用いた液晶式プロジェクタや、リアプロジェクションテレビ等のような投影装置に適用することが可能である。
【図面の簡単な説明】
【００３７】
【図１】本発明に係る投影装置の一例であるプロジェクタの構造図である。
【図２】プロジェクタを下側から見た斜視図である。
【図３】プロジェクタの光源ユニットに含まれる前面ケースとカバーガラスと絶縁部材の分解状態図である。
【図４】前面ケースとカバーガラスと絶縁部材の取り付け状態図である。
【図５】前面ケースの正面図である。
【図６】絶縁部材の正面図である。
【符号の説明】
【００３８】
２  光源ユニット
４  前面ケース
４ａ  開口
４ｂ  嵌め込み部
４ｃ、４ｄ、４ｅ  凸部
４ｆ、４ｇ、４ｈ  凹部
５  後面ケース
６  ランプ
８  カバーガラス
８ｃ、８ｄ、８ｅ  端面
９  絶縁部材
９ａ  開口
９ｂ  嵌め込み部
９ｃ、９ｄ、９ｅ  凹部
９ｆ、９ｇ、９ｈ  凸部
１００  プロジェクタ
【図１】
2007248753.tif 000003
【図２】
2007248753.tif 000004
【図３】
2007248753.tif 000005
【図４】
2007248753.tif 000006
【図５】
2007248753.tif 000007
【図６】
2007248753.tif 000008